【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
ＶＬＡＮ識別名を有するインバウンドパケットが、複数の分類モードから選択可能な１つの分類モードに従ってＶＬＡＮに割り当てられることを特徴とする、スイッチングノードのための仮想ローカルエリアネットワーク（ＶＬＡＮ）分類システム。
【請求項２】
分類モードの選択可能なもののうちの１つによって、インバウンドパケットが、パケットのＶＬＡＮ  ＩＤと関連付けられたＶＬＡＮに割り当てられることをさらに特徴とする請求項１に記載のＶＬＡＮ分類システム。
【請求項３】
分類モードの選択可能なもののうちの１つによって、インバウンドパケットが、入力ポートと関連付けられたＶＬＡＮに割り当てられることをさらに特徴とする請求項１に記載のＶＬＡＮ分類システム。
【請求項４】
分類モードの選択可能なもののうちの１つによって、インバウンドパケットが、パケットのプロトコルタイプと関連付けられたＶＬＡＮに割り当てられることをさらに特徴とする請求項１に記載のＶＬＡＮ分類システム。
【請求項５】
アウトバウンドパケットのＶＬＡＮ  ＩＤが、複数のタグ付けモードから選択可能な１つのタグ付けモードに従って変更されるか否かであることを特徴とする、スイッチングノードのための仮想ローカルエリアネットワーク（ＶＬＡＮ）タグ付けシステム。
【請求項６】
タグ付けモードの選択可能なもののうちの１つによって、アウトバウンドパケットのＶＬＡＮ  ＩＤが、受信した通りに保持されることをさらに特徴とする請求項５に記載のＶＬＡＮタグ付けシステム。
【請求項７】
タグ付けモードの選択可能なもののうちの１つによって、アウトバウンドパケットのＶＬＡＮ  ＩＤは、該アウトバウンドパケットがインバウンドで分類されるＶＬＡＮ  ＩＤに置き換えられることをさらに特徴とする請求項５に記載のＶＬＡＮタグ付けシステム。
【請求項８】
タグ付けモードの選択可能なもののうちの１つによって、アウトバウンドパケットのＶＬＡＮ  ＩＤが、置き換えられずに除去されることをさらに特徴とする請求項５に記載のＶＬＡＮタグ付けシステム。
【請求項９】
スイッチングリンクを介して相互接続された複数のポートを有するスイッチングノードであって、ポートの第１のポートが、そこで動作する第１のＶＬＡＮ分類モードを有し、さらにポートの第２のポートが、そこで動作する第２のＶＬＡＮ分類モードを有しており、第１のおよび第２のＶＬＡＮ分類モードは異なることを特徴とするスイッチングノード。
【請求項１０】
第１のおよび第２のＶＬＡＮ分類モードが、インバウンドパケットについて動作することをさらに特徴とする請求項９に記載のスイッチングモード。
【請求項１１】
スイッチングリンクを介して相互接続された複数のポートを有するスイッチングノードであって、ポートの第１のポートが、そこで動作する第１のＶＬＡＮタグ付けモードを有し、さらにポートの第２のポートが、そこで動作する第２のＶＬＡＮタグ付けモードを有しており、第１のおよび第２のＶＬＡＮタグ付けモードは異なることを特徴とするスイッチングノード。
【請求項１２】
第１のおよび第２のＶＬＡＮタグ付けモードが、アウトバウンドパケットについて動作することをさらに特徴とする請求項１１に記載のスイッチングノード。
【請求項１３】
スイッチングノードのための仮想ローカルエリアネットワーク（ＶＬＡＮ）分類システムであって、
複数のＶＬＡＮ分類モードから選択可能な１つのＶＬＡＮ分類モードを格納するためのメモリと、
前記メモリに結合した入力ポートコントローラとを含んでおり、入力ポートコントローラは、関連した入力ポートでインバウンドパケットを受信し、インバウンドパケットを前記格納されたＶＬＡＮ分類モードに基づいて１つのＶＬＡＮに割り当てるシステム。
【請求項１４】
インバウンドパケットがＶＬＡＮ識別名を含み、格納されたＶＬＡＮ分類モードによって、インバウンドパケットがＶＬＡＮ識別名と関連付けられたＶＬＡＮに割り当てられる請求項１３に記載のシステム。
【請求項１５】
格納されたＶＬＡＮ分類モードによって、インバウンドパケットが入力ポートと関連付けられたＶＬＡＮに割り当てられる請求項１３に記載のシステム。
【請求項１６】
格納されたＶＬＡＮ分類モードによって、インバウンドパケットがパケットのプロトコルタイプと関連付けられたＶＬＡＮに割り当てられる請求項１３に記載のシステム。
【請求項１７】
第１の入力ポートコントローラが、第１のＶＬＡＮ分類モードを格納するための第１のメモリと結合しており、第２の入力ポートコントローラが、第２のＶＬＡＮ分類モードを格納するための第２のメモリと結合しており、第１のおよび第２のＶＬＡＮ分類モードが異なる請求項１３に記載のシステム。
【請求項１８】
スイッチングノードのための仮想ローカルエリアネットワーク（ＶＬＡＮ）タグ付けシステムであって、
複数のＶＬＡＮタグ付けモードから選択可能な１つのＶＬＡＮタグ付けモードを格納するためのメモリと、
該メモリに結合した出力ポートコントローラとを含んでおり、出力ポートコントローラは、格納されたＶＬＡＮタグ付けモードに基き、出力ポートにおいて伝送するためのアウトバウンドパケットの中にＶＬＡＮ識別名を保持するかどうかを判定するシステム。
【請求項１９】
格納されたＶＬＡＮタグ付けモードによって、アウトバウンドパケットのＶＬＡＮ識別名が保持される請求項１８に記載のシステム。
【請求項２０】
格納されたＶＬＡＮタグ付けモードによって、アウトバウンドパケットのＶＬＡＮ識別名は、アウトバウンドパケットがインバウンドで分類されるＶＬＡＮ識別名と置き換えられる請求項１８に記載のシステム。
【請求項２１】
格納されたＶＬＡＮタグ付けモードによって、アウトバウンドパケットのＶＬＡＮ識別名が置き換えられずに除去される請求項１８に記載のシステム。
【請求項２２】
第１の出力ポートコントローラが、第１のＶＬＡＮタグ付けモードを格納するため第１のメモリと結合し、第２の出力ポートコントローラが、第２のＶＬＡＮタグ付けモードを格納するため第２のメモリと結合しており、第１のおよび第２のＶＬＡＮタグ付けモードが異なる請求項１８に記載のシステム。
【請求項２３】
入力ポートを介してデータパケットを受信するスイッチングノードを含むデータ通信ネットワークにおいて、仮想ローカルエリアネットワーク（ＶＬＡＮ）へのデータパケットを分類するための方法であって、
入力ポートのために、複数のＶＬＡＮ分類モードから選択可能な１つのＶＬＡＮ分類モードを構成することと、
選択されたＶＬＡＮ分類モードに基づいてＶＬＡＮを識別することと、
パケットと該識別されたＶＬＡＮを関連付けることとを含む方法。
【請求項２４】
インバウンドパケットがＶＬＡＮ識別名を含み、前記構成されたＶＬＡＮ分類モードによって、インバウンドパケットがＶＬＡＮ識別名と関連付けられたＶＬＡＮに割り当てられる請求項２３に記載の方法。
【請求項２５】
前記構成されたＶＬＡＮ分類モードによって、インバウンドパケットが入力ポートと関連付けられたＶＬＡＮに割り当てられる請求項２３に記載の方法。
【請求項２６】
前記構成されたＶＬＡＮ分類モードによって、インバウンドパケットがパケットのプロトコルタイプと関連付けられたＶＬＡＮに割り当てられる請求項２３に記載の方法。
【請求項２７】
スイッチングノードが、当該目的で構成された第１のＶＬＡＮ分類モードを有する第１の入力ポート、および当該目的で構成された第２のＶＬＡＮ分類モードを有する第２の入力ポートを含んでおり、第１のおよび第２のＶＬＡＮ分類モードが異なる請求項２３に記載の方法。
【請求項２８】
出力ポートを有するスイッチングノードを含むデータ通信ネットワークにおいて、仮想ローカルエリアネットワーク（ＶＬＡＮ）識別名を有するアウトバウンドパケットを処理するための方法であって、
出力ポートのために、複数のＶＬＡＮタグ付けモードから選択可能な１つのＶＬＡＮタグ付けモードを構成することと、
該構成されたＶＬＡＮタグ付けモードに基づいて、アウトバウンドパケットの中のＶＬＡＮ識別名を変更するか否かを行うことと、
出力ポートを介してアウトバウンドパケットを伝送することとを含む方法。
【請求項２９】
前記構成されたＶＬＡＮタグ付けモードによって、アウトバウンドパケットのＶＬＡＮ識別名が保持される請求項２８に記載の方法。
【請求項３０】
前記構成されたＶＬＡＮタグ付けモードによって、アウトバウンドパケットのＶＬＡＮ識別名は、アウトバウンドパケットがインバウンドで分類されるＶＬＡＮ識別名と置き換えられる請求項２８に記載の方法。
【請求項３１】
前記構成されたＶＬＡＮタグ付けモードによって、前記ＶＬＡＮ識別名が置き換えられずに除去される請求項２８に記載の方法。
【請求項３２】
スイッチングノードが、当該目的で構成された第１のＶＬＡＮタグ付けモードを有する第１の出力ポート、および当該目的で構成された第２のＶＬＡＮタグ付けモードを有する第２の入力ポートを含んでおり、第１のおよび第２のＶＬＡＮタグ付けモードが異なる請求項２８に記載の方法。